(57)【要約】無線通信ネットワークにおけるローミングの誘導（ＳＯＲ）のための方法は、モバイル機器（ＭＥ）が、登録メッセージを訪問先公衆陸上モバイルネットワーク（ＶＰＬＭＮ）に送ることを含む。ＭＥは、ＶＰＬＭＮを通じてホーム公衆陸上モバイルネットワーク（ＨＰＬＭＮ）から第１のメッセージを受信する。ＭＥは、第１のメッセージがセキュリティチェックに失敗したことを決定する。第１のメッセージがセキュリティチェックに失敗したことを決定することに応答して、ＭＥは、第１のメッセージがセキュリティチェックに失敗したことのインジケーションを含む第２のメッセージを、ＶＰＬＭＮに送る。
2021514166.tif 000002
【特許請求の範囲】
【請求項１】
モバイル機器（ＭＥ）における方法であって、前記方法は、
前記ＭＥが、登録メッセージを訪問先公衆陸上モバイルネットワーク（ＶＰＬＭＮ）に送ることと、
前記ＭＥが、前記ＶＰＬＭＮを通じてホーム公衆陸上モバイルネットワーク（ＨＰＬＭＮ）から第１のメッセージを受信することと、
前記ＭＥが、前記第１のメッセージがセキュリティチェックに失敗したことを決定することと、
前記第１のメッセージが前記セキュリティチェックに失敗したことを決定することに応答して、前記ＭＥが、第２のメッセージを前記ＶＰＬＭＮに送ることであって、前記第２のメッセージは、前記第１のメッセージが前記セキュリティチェックに失敗したことのインジケーションを含む、ことと
を備える、方法。
【請求項２】
前記第１のメッセージは、ＲＥＧＩＳＴＲＡＴＩＯＮ  ＡＣＣＥＰＴメッセージである、請求項１に記載の方法。
【請求項３】
前記第２のメッセージは、ＲＥＧＩＳＴＲＡＴＩＯＮ  ＣＯＭＰＬＥＴＥメッセージである、請求項１に記載の方法。
【請求項４】
前記第２のメッセージは、前記ＭＥが手動ネットワーク選択モードにあることのインジケーション、または、前記ＶＰＬＭＮがユーザ制御ＰＬＭＮリスト上にあることのインジケーションのうちの少なくとも１つをさらに含む、請求項１に記載の方法。
【請求項５】
前記ＭＥが前記第１のメッセージにおいてローミングの誘導（ＳＯＲ）データを受信することが予期されることのインジケーションを、前記ＭＥが汎用集積回路カード（ＵＩＣＣ）から読み込むことをさらに備える、請求項１に記載の方法。
【請求項６】
前記ＳＯＲデータは、好ましいＰＬＭＮのリストを含む、請求項５に記載の方法。
【請求項７】
前記ＭＥが前記第１のメッセージへの応答を送ることが予期されることのインジケーションを、前記ＭＥがＵＩＣＣから読み込むことをさらに備える、請求項１に記載の方法。
【請求項８】
モバイル機器（ＭＥ）であって、前記ＭＥは、
メモリと、
前記メモリと通信可能に結合される少なくとも１つのハードウェアプロセッサと
を備え、前記ハードウェアプロセッサは、
登録メッセージを訪問先公衆陸上モバイルネットワーク（ＶＰＬＭＮ）に送ることと、
前記ＶＰＬＭＮを通じてホーム公衆陸上モバイルネットワーク（ＨＰＬＭＮ）から第１のメッセージを受信することと、
前記第１のメッセージがセキュリティチェックに失敗したことを決定することと、
前記第１のメッセージが前記セキュリティチェックに失敗したことを決定することに応答して、前記第１のメッセージが前記セキュリティチェックに失敗したことのインジケーションを含む第２のメッセージを、前記ＶＰＬＭＮに送ることと
を行うように構成される、ＭＥ。
【請求項９】
前記第１のメッセージは、ＲＥＧＩＳＴＲＡＴＩＯＮ  ＡＣＣＥＰＴメッセージである、請求項８に記載のＭＥ。
【請求項１０】
前記第２のメッセージは、ＲＥＧＩＳＴＲＡＴＩＯＮ  ＣＯＭＰＬＥＴＥメッセージである、請求項８に記載のＭＥ。
【請求項１１】
前記第２のメッセージは、前記ＭＥが手動ネットワーク選択モードにあることのインジケーション、または、前記ＶＰＬＭＮがユーザ制御ＰＬＭＮリスト上にあることのインジケーションのうちの少なくとも１つをさらに含む、請求項８に記載のＭＥ。
【請求項１２】
前記少なくとも１つのハードウェアプロセッサは、前記ＭＥが前記第１のメッセージにおいてローミングの誘導（ＳＯＲ）データを受信することが予期されることのインジケーションを、汎用集積回路カード（ＵＩＣＣ）から読み込むようにさらに構成される、請求項８に記載のＭＥ。
【請求項１３】
前記ＳＯＲデータは、好ましいＰＬＭＮのリストを含む、請求項１２に記載のＭＥ。
【請求項１４】
前記少なくとも１つのハードウェアプロセッサは、前記ＭＥが前記第１のメッセージへの応答を送ることを予期されることのインジケーションを、ＵＩＣＣから読み込むようにさらに構成される、請求項８に記載のＭＥ。
【請求項１５】
命令を含む非一過性コンピュータ可読媒体であって、前記命令は、実行されると、
登録メッセージを訪問先公衆陸上モバイルネットワーク（ＶＰＬＭＮ）に送ることと、
前記ＶＰＬＭＮを通じてホーム公衆陸上モバイルネットワーク（ＨＰＬＭＮ）から第１のメッセージを受信することと、
前記第１のメッセージがセキュリティチェックに失敗したことを決定することと、
前記第１のメッセージが前記セキュリティチェックに失敗したことを決定することに応答して、第２のメッセージを前記ＶＰＬＭＮに送ることであって、前記第２のメッセージは、前記第１のメッセージが前記セキュリティチェックに失敗したことのインジケーションを含む、ことと
を備える動作をモバイル機器（ＭＥ）に遂行させる、非一過性コンピュータ可読媒体。
【請求項１６】
前記第１のメッセージは、ＲＥＧＩＳＴＲＡＴＩＯＮ  ＡＣＣＥＰＴメッセージである、請求項１５に記載の非一過性コンピュータ可読媒体。
【請求項１７】
前記第２のメッセージは、ＲＥＧＩＳＴＲＡＴＩＯＮ  ＣＯＭＰＬＥＴＥメッセージである、請求項１５に記載の非一過性コンピュータ可読媒体。
【請求項１８】
前記第２のメッセージは、前記ＭＥが手動ネットワーク選択モードにあることのインジケーション、または、前記ＶＰＬＭＮがユーザ制御ＰＬＭＮリスト上にあることのインジケーションのうちの少なくとも１つをさらに含む、請求項１５に記載の非一過性コンピュータ可読媒体。
【請求項１９】
前記動作は、前記ＭＥが前記第１のメッセージにおいてローミングの誘導（ＳＯＲ）データを受信することが予期されることのインジケーションを、前記ＭＥが汎用集積回路カード（ＵＩＣＣ）から読み込むことをさらに備える、請求項１５に記載の非一過性コンピュータ可読媒体。
【請求項２０】
前記動作は、前記ＭＥが前記第１のメッセージへの応答を送ることが予期されることのインジケーションを、前記ＭＥがＵＩＣＣから読み込むことをさらに備える、請求項１５に記載の非一過性コンピュータ可読媒体。
【発明の詳細な説明】
【技術分野】
【０００１】
（優先権の主張）
この出願は、２０１８年２月２６日に出願された米国仮特許出願第６２／６３５，４８３号、および２０１８年４月１３日に出願された米国特許出願第１５／９５２，８４６号の優先権を主張し、これによって、これらの内容全体は、参照によってその全体が本明細書中に明確に援用される。
【０００２】
（技術分野）
この開示は、無線通信ネットワークにおけるローミングに関する。
【背景技術】
【０００３】
（背景）
訪問先公衆陸上モバイルネットワーク（ＶＰＬＭＮ）におけるユーザ機器（ＵＥ）の誘導は、ホーム公衆陸上モバイルネットワーク（ＨＰＬＭＮ）が、非アクセス層（ＮＡＳ）シグナリングを介して、好ましいＰＬＭＮ／アクセステクノロジの組み合わせのリストをＵＥで更新することを可能とする手続きである。ＨＰＬＭＮは、例えばＵＥが登録される場所か、またはＨＰＬＭＮオペレータポリシーによって要求されるときの公衆陸上モバイルネットワーク（ＰＬＭＮ）に依存して、好ましいＰＬＭＮ／アクセステクノロジの組み合わせのリストを更新する。ＶＰＬＭＮにおけるＵＥの誘導はまた、ローミングの誘導（ＳＯＲ）としても知られている。ＳＯＲは、ＨＰＬＭＮが１つのネットワークから別のネットワークへユーザ機器（ＵＥ）を誘導することを可能とする。ＳＯＲは、ＨＰＬＭＮによってローミングＵＥが、好ましいローミング先ネットワークへローミングするように促進されるようにするための技術である。例えば、ＵＥは、１つの公衆陸上モバイルネットワーク（ＰＬＭＮ）上に登録され、いくつかの理由のために、ＵＥのＨＰＬＭＮは、ＵＥを別のＰＬＭＮ上に登録することを望む。
【発明の概要】
【課題を解決するための手段】
【０００４】
（詳細な説明）
本開示は、無線通信ネットワークにおけるローミングの誘導（ＳＯＲ）（すなわち、訪問先公衆陸上モバイルネットワーク（ＶＰＬＭＮ）におけるユーザ機器（ＵＥ）の誘導）に関する。第５世代（５Ｇ）ネットワーク等のいくつかの無線ネットワークにおいて、ホームオペレータ（例えば、ホーム公衆陸上モバイルネットワーク（ＨＰＬＭＮ））は、１つのネットワークから別のネットワークへＵＥを誘導し得る。例えば、ＵＥは、１つの公衆陸上モバイルネットワーク（ＰＬＭＮ）に登録され、ＵＥのＨＰＬＭＮは、ＵＥを別のＰＬＭＮに登録することを望み得る。
【０００５】
ＵＥは、代替となるＰＬＭＮを見出すためにＰＬＭＮ探索を遂行し得る。例えば、ＵＥがまず起動するときに、ＵＥは、初期ＰＬＭＮ探索を遂行し得る。ＵＥが起動した後、ＵＥは、ＰＬＭＮ探索を定期的に遂行し得る。定期的なＰＬＭＮ探索は、例えば、ＵＥが、ＵＥの現在のＰＬＭＮよりも高い優先度を有するＰＬＭＮを見出すことを可能とする（ＵＥが現在登録されているＰＬＭＮはまた、ＵＥのＶＰＬＭＮまたは登録されたＰＬＭＮ（ＲＰＬＭＮ）とも呼ばれる）。例えば、ＵＥは、そのＨＰＬＭＮ（第１のネットワーク）ではないＶＰＬＭＮ（第２のネットワーク）にあり、ＵＥは、定期的にＨＰＬＭＮを探索し得る。定期的なＰＬＭＮ探索は、タイマーが時間切れになるときに発生し得る。そのようなタイマーの例は、タイマーＴとして公知であるタイマーである。ＵＥが、ＩＤＬＥモードか、ＩＤＬＥ状態か、５ＧＭＭ−ＩＤＬＥモードか、またはＣＭ−ＩＤＬＥ状態といった、ネットワークで生じるアクティブ通信が存在しない状態等にあるときにのみ、ＰＬＭＮ探索が生じ得る。ＵＥがＣＯＮＮＥＣＴＥＤモードにおいてＰＬＭＮ探索／選択を遂行する場合、無線は現在のＰＬＭＮから切断しなければならないため、いずれの接続も失われる。従って、タイマーＴが時間切れになる場合、ＵＥは、ＰＬＭＮ探索を遂行するために、ＵＥがＩＤＬＥモードになるまで待たなければならない。
【０００６】
第４世代（４Ｇ）システムか、第３世代（３Ｇ）システムか、または第２世代（２Ｇ）システム等のいくつかの場合では、ＵＥがＶＰＬＭＮに取り付けられると、ＨＰＬＭＮは、（ＥＴＳＩ  ＴＳ  １０２  ２２５において定義されるような）セキュリティ保護パケットを含むショートメッセージ（ＳＭ）を送る。このセキュリティ保護パケットは、少なくとも１つのＰＬＭＮアイデンティティを含む。ＳＭは、ＵＥのモバイル機器（ＭＥ）によって受信され、ＳＭにおけるインジケーション（例えばコードポイント）に基づいて、ＭＥは、ＳＭの内容のいくつかまたは全てがＵＥの汎用集積回路カード（ＵＩＣＣ）に関することを決定する。それから、ＵＩＣＣは、ＳＭを受信し、ＳＭを開封して、ＳＭがセキュリティ保護パケットを含んでいることを決定する。セキュリティ保護パケットの内容は、ＵＩＣＣにおける好ましいオペレータＰＬＭＮリスト（例えば、最も上のエントリ）を更新し、ＵＩＣＣは、汎用加入者アイデンティティモジュール（ＵＳＩＭ）アプリケーションツールキット（ＵＳＡＴ）ＲＥＦＲＥＳＨコマンドをＭＥに送る。ＲＥＦＲＥＳＨコマンドの受信時に、ＭＥは、ＵＩＣＣから、またはＰＬＭＮリストが含まれる場合にはＲＥＦＲＥＳＨコマンドから、好ましいオペレータＰＬＭＮリストを読み込み、ＭＥのメモリ内にリストを記憶する。それから、ＭＥは、更新された好ましいオペレータＰＬＭＮリスト内のＰＬＭＮを考慮に入れてＰＬＭＮ探索を遂行する。更新された好ましいオペレータＰＬＭＮリストは、セキュリティ保護パケットの結果として変化していることがある。ある者は、好ましいオペレータＰＬＭＮリストは、修正が遂行されることが可能である必要な鍵を有するエンティティ（例えばホームサービスプロバイダ、ＨＰＬＭＮ）によってのみ修正され得るＵＳＩＭアプリケーションにおけるエントリであることを認識するであろう。しかし、それは、ＵＥがＰＬＭＮ選択を遂行するときにどのネットワークが選ばれるべきかを示すために、ＭＥに機能性を提供する任意のアプリケーションであり得る。
【０００７】
５Ｇネットワーク等のいくつかの場合では、（登録手続きの一部である）認証手続きは、ネットワークまたはＰＬＭＮのリスト（または、好ましいＰＬＭＮおよびアクセステクノロジの組み合わせのリスト）をＵＥに伝達するために用いられ得る。図１は、好ましいＰＬＭＮおよびアクセステクノロジの組み合わせのリストを伝達するために認証手続きを用いる例示的なプロセスを図示するデータフロー図１００である。データフロー図１００は、３ＧＰＰ  ＣＴ１コントリビューションＣ１−１８０４６２によるものであり、３ＧＰＰ  ＣＴ１コントリビューションＣ１−１８０４６２は、これにより、参照によって本明細書に援用される。データフロー図１００は、ＵＥ１０２、ＶＰＬＭＮアクセスおよびモビリティ管理機能（ＡＭＦ）ノード１０４、ＨＰＬＭＮ認証サーバ機能（ＡＵＳＦ）ノード１０６、ならびにＨＰＬＭＮ一元データ管理（ＵＤＭ）ノード１０８を含む。ＵＥ１０２は、ＭＥおよび（取り外し可能な）メモリモジュールを含み得る。メモリモジュールの例は、ＵＩＣＣである。ＵＩＣＣは、加入者アイデンティティモジュール（ＳＩＭ）か、汎用ＳＩＭ（ＵＳＩＭ）か、または取り外し可能なユーザアイデンティティモジュール（Ｒ−ＵＩＭ）を含み得、これらは集合的にＵＩＣＣアプリケーションとして公知である。ＭＥおよびＵＩＣＣは、データを交換し、他のエンティティの代わりに動作を遂行することを相互に要求するために、３ＧＰＰ  ＴＳ  ３１．１１１において定義されるコマンド、ＵＳＡＴコマンドのセットを用い得る。ＵＥはまた、モバイルステーション（ＭＳ）として公知であり得る。ノード１０４、１０６および１０８は、コアネットワーク構成要素であり得る。ＡＭＦは、登録管理、接続管理、モビリティ管理、ならびにアクセス認証および認可等のアクセスおよびモビリティ管理機能を含み得る。ＡＵＳＦは、ＵＥ認証サービスを提供し得る。ＵＤＭは、３ＧＰＰ  ＡｕｔｈｅｎｔｉｃａｔｉｏｎおよびＫｅｙ  Ａｇｒｅｅｍｅｎｔ（ＡＫＡ）認証クレデンシャルを生成すること等の、Ｈｏｍｅ  Ｌｏｃａｔｉｏｎ  Ｒｅｇｉｓｔｅｒ（ＨＬＲ）またはＨｏｍｅ  Ｓｕｂｓｃｒｉｂｅｒ  Ｓｅｒｖｅｒ（ＨＳＳ）と同様の機能性を有し得る。この開示では、アクセステクノロジは、無線アクセステクノロジを指す。
【図面の簡単な説明】
【０００８】
（図面の説明）
【図１】図１は、好ましい公衆陸上モバイルネットワーク（ＰＬＭＮ）およびアクセステクノロジの組み合わせのリストを伝達するために認証手続きを用いる例示的なプロセスを図示するデータフロー図である。
【０００９】
【図２】図２は、本開示のいくつかの実施による、例示的なローミングの誘導（ＳＯＲ）手続きを図示するデータフロー図である。
【００１０】
【図３Ａ】図３Ａ−図３Ｂは、例示的な３ＧＰＰ  ＴＳ  ２３．５０２からの登録手続きのデータフロー図を図示する。
【図３Ｂ】図３Ａ−図３Ｂは、例示的な３ＧＰＰ  ＴＳ  ２３．５０２からの登録手続きのデータフロー図を図示する。
【００１１】
【図４Ａ】図４Ａ−図４Ｃは、本開示のいくつかの実施による、ＲＥＧＩＳＴＲＡＴＩＯＮ  ＲＥＱＵＥＳＴメッセージ内にデバイスタイプインジケータを含むことについての例示的な説明を図示する。
【図４Ｂ】図４Ａ−図４Ｃは、本開示のいくつかの実施による、ＲＥＧＩＳＴＲＡＴＩＯＮ  ＲＥＱＵＥＳＴメッセージ内にデバイスタイプインジケータを含むことについての例示的な説明を図示する。
【図４Ｃ】図４Ａ−図４Ｃは、本開示のいくつかの実施による、ＲＥＧＩＳＴＲＡＴＩＯＮ  ＲＥＱＵＥＳＴメッセージ内にデバイスタイプインジケータを含むことについての例示的な説明を図示する。
【００１２】
【図５】図５は、本開示のいくつかの実施による、Ｅｘｔｅｎｓｉｂｌｅ  Ａｕｔｈｅｎｔｉｃａｔｉｏｎ  Ｐｒｏｔｏｃｏｌ（ＥＡＰ）メッセージ内にデバイスタイプインジケータを含む場合の例示的な説明を図示する。
【００１３】
【図６】図６は、本開示のいくつかの実施による、ＳＯＲデータを送るためにＥＡＰシグナリングを用いる例示的な手続きを図示するデータフロー図である。
【００１４】
【図７】図７は、本開示のいくつかの実施による、第５世代（５Ｇ）ネットワークにおいてＳＯＲデータを取得するためにＥＡＰシグナリングを用いる例示的なプロセスを図示するデータフロー図である。
【００１５】
【図８Ａ】図８Ａ−図８Ｅは、本開示のいくつかの実施による、ＥＡＰ−ＡｕｔｈｅｎｔｉｃａｔｉｏｎおよびＫｅｙ  Ａｇｒｅｅｍｅｎｔ（ＡＫＡ）においてＳＯＲデータを送ることの例示的な説明を図示する。
【図８Ｂ】図８Ａ−図８Ｅは、本開示のいくつかの実施による、ＥＡＰ−ＡｕｔｈｅｎｔｉｃａｔｉｏｎおよびＫｅｙ  Ａｇｒｅｅｍｅｎｔ（ＡＫＡ）においてＳＯＲデータを送ることの例示的な説明を図示する。
【図８Ｃ】図８Ａ−図８Ｅは、本開示のいくつかの実施による、ＥＡＰ−ＡｕｔｈｅｎｔｉｃａｔｉｏｎおよびＫｅｙ  Ａｇｒｅｅｍｅｎｔ（ＡＫＡ）においてＳＯＲデータを送ることの例示的な説明を図示する。
【図８Ｄ】図８Ａ−図８Ｅは、本開示のいくつかの実施による、ＥＡＰ−ＡｕｔｈｅｎｔｉｃａｔｉｏｎおよびＫｅｙ  Ａｇｒｅｅｍｅｎｔ（ＡＫＡ）においてＳＯＲデータを送ることの例示的な説明を図示する。
【図８Ｅ】図８Ａ−図８Ｅは、本開示のいくつかの実施による、ＥＡＰ−ＡｕｔｈｅｎｔｉｃａｔｉｏｎおよびＫｅｙ  Ａｇｒｅｅｍｅｎｔ（ＡＫＡ）においてＳＯＲデータを送ることの例示的な説明を図示する。
【００１６】
【図９】図９は、本開示のいくつかの実施による、ＲＥＦＲＥＳＨコマンドの例示的な説明を図示する。
【００１７】
【図１０】図１０は、本開示のいくつかの実施による、データ「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」のための環境ファイル（ＥＦ）の例示的説明を図示する。
【００１８】
【図１１】図１１は、本開示のいくつかの実施による、例示的なＳＯＲ手続きを図示するデータフロー図である。
【００１９】
【図１２Ａ】図１２Ａ−図１２Ｂは、本開示のいくつかの実施による、図１１のＳＯＲ手続きのための例示的な説明を図示する。
【図１２Ｂ】図１２Ａ−図１２Ｂは、本開示のいくつかの実施による、図１１のＳＯＲ手続きのための例示的な説明を図示する。
【００２０】
【図１３】図１３は、本開示のいくつかの実施による例示的なネットワークノードを図示する概略図である。
【００２１】
【図１４】図１４は、本開示のいくつかの実施による例示的なＵＥ装置を図示する概略図である。
【００２２】
【図１５Ａ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【図１５Ｂ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【図１５Ｃ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【図１５Ｄ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【図１５Ｅ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【図１５Ｆ】図１５Ａ−図１５Ｆは、本開示のいくつかの実施による、登録中および登録後の訪問先ＰＬＭＮ（ＶＰＬＭＮ）におけるＵＥの誘導についての例示的な説明を図示する。
【００２３】
種々の図面における同様の参照番号および指定は、同様の要素を示す。
【発明を実施するための形態】
【００２４】
図１において、認証手続きのステップ５−７の間、ＨＰＬＭＮ  ＵＤＭ１０８は、ＳＯＲデータ（例えば、好ましいＰＬＭＮのリスト、好ましいＰＬＭＮおよびアクセステクノロジの組み合わせのリスト、または好ましいＰＬＭＮ／アクセステクノロジの組み合わせのＨＰＬＭＮ保護リスト）をＵＥ１０２に送り得る。例えば、ＨＰＬＭＮがＵＥを異なるＰＬＭＮ（第３のネットワーク）に登録することを望む場合、ＨＰＬＭＮ  ＵＤＭ１０８は、ＳＯＲデータを送り得る。しかし、ＵＥ１０２がＳＯＲデータを受信した後は、ＵＥは、認証段階中に接続されたモードにあるため、ＰＬＭＮ探索を遂行できない（上記で議論されたように、ＰＬＭＮ探索は、ＵＥがＩＤＬＥモードにあるときに遂行される）。いくつかの場合では、タイマーＴは、ＵＥが登録手続きを完了するまで設定されない。つまり、タイマーＴは、登録手続きの完了時に開始し、ＵＥは、タイマーＴが時間切れになるまでＰＬＭＮ探索を遂行しない。結果として、ＵＥ１０２は、かなりの時間にわたって好ましくないＰＬＭＮに登録され得る。しかし、例えば取り付けまたは登録試行がうまく完了される前に、ＵＥを都合がつく最も早いときに異なるＰＬＭＮへ誘導する（ＵＥにＰＬＭＮ探索を遂行することを要求する）ことが、オペレータにとって利益である。さらに、ＵＥがネットワークに取り付けまたは登録されていない場合には、ＵＥはＳＭを受信することができないため、認証段階にあるＵＥは、２Ｇ、３Ｇ，または４Ｇシステムの既存の手続きを用いてＳＯＲデータを含むセキュリティ保護パケットを受信することができない。
【００２５】
ＵＥが長時間にわたって望ましくないＰＬＭＮにあり得ることの他に、図１におけるＳＯＲデータ送達は、以下の問題も有する。第１に、ステップ５−７において、ＳＯＲデータは、クリアテキストでＵＥ１０２に送られる。結果として、ＳＯＲデータは、ＶＰＬＭＮノード１０４によって修正され得る。第２に、５Ｇネットワークにおける認証手続きは、Ｅｘｔｅｎｓｉｂｌｅ  Ａｕｔｈｅｎｔｉｃａｔｉｏｎ  Ｐｒｏｔｏｃｏｌ（ＥＡＰ）を用いる。いくつかの場合、第１のＥＡＰパケット内のデータは、ＶＰＬＭＮノード１０４によって修正されかつ取り除かれさえし得、受信するＵＥ１０２および送るＨＰＬＭＮノード１０８は、これが行われたことを知らない。第３に、ＵＳＩＭまたはＵＩＣＣにおける永続的情報は、更新されないことがあり、可能ならばＨＰＬＭＮにＳＯＲデータを繰り返し送らせる。ＵＩＣＣまたはＵＳＩＭ（例えば、メモリモジュール）は、永続的データまたは情報を含む。永続的データは、例えばデバイスまたはデバイス内のモジュールの再起動時にアクセスされずまたは消されもしくは消去されさえもしない、メモリ内に記憶されたデータを指す。例えば、ＭＥは、ＭＥが立ち上げられるかまたは作動された後等に、例えば「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」データか、またはＵＳＩＭもしくはＵＩＣＣからの他のデータを読み込む。ＭＥは、ＲＥＦＲＥＳＨコマンドの受信時等の他の時にデータを読み込み得る。ＭＥは、受信されたＳＯＲデータに基づいて、「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」データを修正し得、ＭＥによってなされた修正は、永続的データが更新され、かつ、例えば再立ち上げ後か、立ち上げ後かまたは始動後に更新情報が利用可能となるように、ＵＳＩＭまたはＵＩＣＣに同期されるはずである。しかし、「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」を含むいくつかのＵＩＣＣまたはＵＳＩＭデータへの書き込みアクセスは、以前に説明されたように保護される。ＨＰＬＭＮオペレータだけが、このデータへの書き込みアクセスのためのクレデンシャルを有する、ＶＰＬＭＮおよびＭＥのいずれも、これらのクレデンシャルを有していない。つまり、ＳＯＲデータを受信した後、ＵＥ１０２におけるＭＥは、ＵＩＣＣまたはＵＳＩＭにある永続的データを更新できず、このことは、ＨＰＬＭＮにＳＯＲデータを繰り返し送らせ得る。
【００２６】
いくつかの場合では、ＵＥは、手動ネットワーク選択モードにあり得る。手動ネットワーク選択モードでは、ＵＥは、必ずしもＨＰＬＭＮのプリファレンスを考慮することなく、ＰＬＭＮを選択する。自動ネットワーク選択モードでは、ＵＥは、ＰＬＭＮを選択するときに、ＨＰＬＭＮのプリファレンスを考慮する。手動ネットワーク選択モードの場合、デバイスはＵＥのプリファレンスによりＶＰＬＭＮまたはネットワークを選択しているため、ＳＯＲが生じなくともよい。ＵＥがネットワークまたはＶＰＬＭＮを選択する別の理由は、ＶＰＬＭＮが「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙリスト内に含まれるためである。例えば、ＵＥは、「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙリスト上のネットワークを見つける。ユーザ／アプリケーションは、「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  ＴｅｃｈｎｏｌｏｇｙリストにＰＬＭＮエントリ（単数または複数）を付け加え、同様にして手動ネットワーク選択を遂行する（すなわち、ＵＥは特定の理由でネットワークを選択している）。従って、ＵＥが、「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ内のＶＰＬＭＮおよびネットワークを選択した場合、ＳＯＲは生じない。
【００２７】
いくつかの場合では、ＵＥは、バッテリ制約型（またはリソース制約型）であり得る。ＰＬＭＮ探索（例えばネットワーク発見プロセス）は、バッテリ電力を消費し、かつ代替となるネットワークが利用可能である保証はないため、ＳＯＲ動作は、バッテリ寿命を延長させるために、ＵＥがバッテリ制約型であるかどうかを考慮に入れることが所望される。いくつかの場合では、ＵＥは、固定型ＵＥ等のモビリティ制約型であり得、ＵＥに利用可能なＰＬＭＮは変化する可能性がないため、ＳＯＲを遂行しないことが所望され得る。
【００２８】
本明細書中で説明される方法およびシステムによるＳＯＲ手続きは、例えば取り付けまたは登録の試みがうまく完了する前に、オペレータが、都合がつく最も早いときにＵＥを異なるＰＬＭＮに誘導することを可能とする。説明される手法は、経路に沿った中間ノードがＳＯＲデータを修正できないように、ＳＯＲデータを送達するためにセキュリティ保護パケットを用いる。説明された手法はまた、ＳＯＲデータに基づいて、ＵＩＣＣにおける永続的情報を更新し得る。説明される方法はまた、自動ネットワーク選択モードか、ユーザ制御ＰＬＭＮセレクタリストか、または手動ネットワーク選択モードに起因して、ＵＥがＳＯＲ情報に基づいて動くことを不可能とされるかどうかを、ＰＬＭＮに知らせる。ＵＥが異なるＰＬＭＮを選択不可能とされる別の理由は、現在登録されているＰＬＭＮが、最も高い優先度のＰＬＭＮであり続けるからである。最終的に、セキュリティ保護パケットは、ＵＩＣＣでのインテグリティチェックに失敗することがある。これらの場合のいずれかでは、ＭＥは、ＵＳＡＴを介して、メモリモジュールによって、第２のセキュリティ保護パケットをネットワークに伝達することを要求され得る。第２のセキュリティ保護パケットは、ＵＥが別のＰＬＭＮを選択できない理由か、またはインテグリティチェックの失敗を、ネットワークに示し得る。いくつかの場合では、セキュリティチェックが、インテグリティチェックを備え得る。この開示では、「セキュリティチェック」および「インテグリティチェック」という語は、交換可能である。セキュリティチェックはまた、受信されるメッセージ内に存在（予測）すべき１から多くの情報要素か、インジケータか、ＳＯＲデータかまたはセキュリティ保護パケットが、受信されるメッセージにおいて受信されることを、ＭＥまたはＵＩＣＣによって決定し得る。決定は、ＭＥおよびまたはＵＩＣＣ内の構成に基づき得る。
【００２９】
この開示において用いられる５Ｇ用語が、以下で説明される。
【００３０】
５Ｇシステムモビリティ管理（５ＧＭＭ）−ＩＤＬＥモード：この語は、独立して用いられる。５ＧＭＭ−ＩＤＬＥモードにあるＵＥとは、ＵＥが、３ＧＰＰアクセス上で５ＧＭＭ−ＩＤＬＥモードにあるか、または非３ＧＰＰアクセス上で５ＧＭＭ−ＩＤＬＥモードにあるかのいずれかであり得ることを意味する。
【００３１】
５ＧＭＭ−ＣＯＮＮＥＣＴＥＤモード：この語は、独立して用いられる。５ＧＭＭ−ＣＯＮＮＥＣＴＥＤモードにあるＵＥとは、ＵＥが、３ＧＰＰアクセス上で５ＧＭＭ−ＣＯＮＮＥＣＴＥＤモードにあるか、または非３ＧＰＰアクセス上で５ＧＭＭ−ＣＯＮＮＥＣＴＥＤモードにあるかのいずれかであり得ることを意味する。
【００３２】
３ＧＰＰアクセス上での５ＧＭＭ−ＩＤＬＥモード：３ＧＰＰアクセス上でのＵＥとネットワークとの間のＮ１非アクセス層（ＮＡＳ）シグナリング接続が存在しないときに、ＵＥは、３ＧＰＰアクセス上で５ＧＭＭ−ＩＤＬＥモードにある。この開示で用いられる３ＧＰＰアクセス上での５ＧＭＭ−ＩＤＬＥモードという語は、３ＧＰＰ  ＴＳ  ２３．５０１において用いられる３ＧＰＰアクセスのためのＣｏｎｎｅｃｔｉｏｎ  Ｍａｎａｇｅｍｅｎｔ  ＩＤＬＥ（ＣＭ−ＩＤＬＥ）状態という語に対応する。
【００３３】
３ＧＰＰアクセス上での５ＧＭＭ−ＣＯＮＮＥＣＴＥＤモード：３ＧＰＰアクセス上でのＵＥとネットワークと間のＮ１  ＮＡＳシグナリング接続が存在するときに、ＵＥは、３ＧＰＰアクセス上で５ＧＭＭ−ＣＯＮＮＥＣＴＥＤモードにある。本書類において用いられる３ＧＰＰアクセス上での５ＧＭＭ−ＣＯＮＮＥＣＴＥＤモードという語は、３ＧＰＰ  ＴＳ  ２３．５０１において用いられる３ＧＰＰアクセスのためのＣＭ−ＣＯＮＮＥＣＴＥＤ状態という語に対応する。
【００３４】
非３ＧＰＰアクセス上での５ＧＭＭ−ＩＤＬＥモード：非３ＧＰＰアクセス上でのＵＥとネットワークとの間のＮ１  ＮＡＳシグナリング接続が存在しないときに、ＵＥは、非３ＧＰＰアクセス上で５ＧＭＭ−ＩＤＬＥモードにある。この開示において用いられる非３ＧＰＰアクセス上での５ＧＭＭ−ＩＤＬＥモードという語は、３ＧＰＰ  ＴＳ  ２３．５０１において用いられる非３ＧＰＰアクセスのためのＣＭ−ＩＤＬＥ状態という語に対応する。
【００３５】
非３ＧＰＰ−アクセス上での５ＧＭＭ−ＣＯＮＮＥＣＴＥＤモード：非３ＧＰＰアクセス上でのＵＥとネットワークとの間のＮ１  ＮＡＳシグナリング接続を有するときに、ＵＥは、非３ＧＰＰアクセス上で５ＧＭＭ−ＣＯＮＮＥＣＴＥＤモードにある。この開示において用いられる非３ＧＰＰアクセス上での５ＧＭＭ−ＣＯＮＮＥＣＴＥＤモードという語は、３ＧＰＰ  ＴＳ  ２３．５０１において用いられる非３ＧＰＰアクセスのためのＣＭ−ＣＯＮＮＥＣＴＥＤ状態という語に対応する。
【００３６】
アクセス層接続：ＵＥと３ＧＰＰアクセスのための次世代無線アクセスネットワーク（ＮＧ−ＲＡＮ）との間か、またはＵＥと非３ＧＰＰアクセスのためのＮ３１ＷＦとの間のいずれかのピアトゥピアアクセス層接続。３ＧＰＰアクセスのためのアクセス層接続は、Ｕｕ基準点を介した無線リソース制御（ＲＲＣ）接続に対応する。非３ＧＰＰアクセスのためのアクセス層接続の創出は、ＮＷｕ基準点を介したＩＫＥ＿ＳＡ＿ＩＮＩＴ変換（ＩＥＴＦ  ＲＦＣ  ７２９６参照）の完了に対応する。
【００３７】
Ｎ１  ＮＡＳシグナリング接続：ＵＥとＡＭＦとの間のピアトゥピアＮ１モード接続。Ｎ１  ＮＡＳシグナリング接続は、３ＧＰＰアクセスのための、Ｕｕ基準点を介したＲＲＣ接続およびＮ２基準点を介したＮＧ接続の連鎖か、または、非３ＧＰＰアクセスのための、ＮＷｕ基準点を介したＩＰｓｅｃトンネルおよびＮ２基準点を介したＮＧ接続の連鎖のいずれかである。
【００３８】
５Ｇ  ＰＬＭＮ探索手続きは、以下のように説明される。
【００３９】
５ＧのためのＰＬＭＮ探索手続きは、ＥＰＣまたはＧＰＲＳコアネットワークを用いたＰＬＭＮのためのＰＬＭＮ探索手続きと実質的に同一である。上記で議論されたように、ＰＬＭＮ探索は、初期に発生し、ＰＬＭＮ探索はまた、定期的にも発生する。定期的に発生するＰＬＭＮ探索は、タイマー（例えば、上記で議論されたタイマーＴ）が時間切れになるときに起こる。定期的に発生するＰＬＭＮ探索は、より高い優先度のＰＬＭＮを探索する。
【００４０】
例えば、３ＧＰＰ  ＴＳ  ２３．１２２は、ＰＬＭＮ探索手続きについての以下の説明を提供する。ＭＳがＶＰＬＭＮにある場合、ＭＳは、以下のｉ）、ｉｉ）およびｉｉｉ）に当てはまる要件に従って走査することによって、そのＨＰＬＭＮ（ＥＨＰＬＭＮリストが存在しないかまたは空である場合）か、またはそのＥＨＰＬＭＮのうちの１つ（ＥＨＰＬＭＮリストが存在する場合）か、または「ユーザ制御ＰＬＭＮセレクタ」もしくは「オペレータ制御ＰＬＭＮセレクタ」に列挙されたより高い優先度のＰＬＭＮ／アクセステクノロジの組み合わせにあるサービスを取得することを定期的に試みる。モバイルが、記憶された「同等のＰＬＭＮ」リストを有する場合において、ＰＬＭＮが、「同等のＰＬＭＮ」リスト内に記憶された現在のサービングＰＬＭＮと同一の国のものよりも高い優先度である場合には、モバイルは、ＰＬＭＮを選択するのみである。この目的のために、タイマーＴの値は、ＳＩＭ内に記憶され得る。記憶された値の解釈は、ＭＳによってサポートされる無線容量に依存する。ＭＳは、利用可能であり承認可能である場合、以下の順序で他のＰＬＭＮ／アクセステクノロジの組み合わせにおける登録を選択して試みる。ｉ）（ＥＨＰＬＭＮリストが存在しないかまたは空である場合には）ＨＰＬＭＮか、または（ＥＨＰＬＭＮリストが存在する場合には）利用可能である最も高い優先度のＥＨＰＬＭＮのいずれか、ｉｉ）（優先的な順序の）ＳＩＭ内の「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙデータファイルにおける各々のＰＬＭＮ／アクセステクノロジの組み合わせ、ｉｉｉ）（優先的な順序の）ＳＩＭ内の「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」データファイルにおける各々のＰＬＭＮ／アクセステクノロジの組み合わせ。
【００４１】
「オペレータ制御ＰＬＭＮセレクタ」リストを用いることに加えて、デバイスまたはＵＥはまた、「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙリストを用い得る。ＰＬＭＮ探索を遂行するときに、デバイスが「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ内にあるＰＬＭＮを見つける場合、デバイスは、「オペレータ制御ＰＬＭＮセレクタ」内の任意のＰＬＭＮよりも（高い優先度を有する）このＰＬＭＮを選ぶ。
【００４２】
要素の概略的な説明を見ると、ＵＥは、モバイル電子デバイスか、ユーザデバイス、モバイルステーション、加入者ステーション、ポータブル電子デバイス、モバイル通信デバイス、無線モデム、無線ターミナル、モバイル機器、セッション開始プロトコル（ＳＩＰ）ユーザエージェント、セットトップボックス、テスト機器、または埋め込み型モデムとして称され得る。ＵＥの例は、携帯電話、パーソナルデータアシスタント（ＰＤＡ）、スマートフォン、ラップトップ、タブレットパーソナルコンピュータ（ＰＣ）、ポケットベル、ポータブルコンピュータ、ポータブルゲーミングデバイス、ウェアラブル電子デバイス、または無線通信ネットワークを介してデータを通信するための構成要素を有するための構成要素を有する他のモバイル通信デバイスを含み得る。無線通信ネットワークは、ライセンス層および非ライセンス層のうちの少なくとも１つにわたる無線リンクを含み得る。
【００４３】
ＵＥの他の例は、モバイル電子デバイスおよび固定電子デバイスを含む。ＵＥは、ＭＥデバイスと、ＳＩＭアプリケーション、ＵＳＩＭアプリケーション、またはＲ−ＵＩＭアプリケーション（これら全てがＵＩＣＣアプリケーションとして公知である）を含むＵＩＣＣ等の取り外し可能メモリモジュールとを含み得る。「ＵＥ」という語はまた、ユーザのための通信セッションを終了させ得る任意のハードウェアまたはソフトウェア構成要素を指し得る。加えて、「ユーザ機器」、「ＵＥ」、「ユーザ機器デバイス」、「ユーザエージェント」、「ＵＡ」、「ユーザデバイス」および「モバイルデバイス」という語は、本明細書において同義的に用いられ得る。ＵＩＣＣはまた、同様の機能性を遂行するＵＩＣＣアプリケーションを含む安全な要素であり得る。
【００４４】
無線通信ネットワークは、無線アクセスネットワーク（ＲＡＮ）、固定ＥｔｈｅｒｎｅｔＴＭもしくはＩＥＥＥ  ８０２．１１  ＷＬＡＮ等の他のアクセスネットワーク、コアネットワーク（ＣＮ）、および外部ネットワークの１または複数を含み得る。ＲＡＮは、１または複数の無線アクセステクノロジを備え得る。無線アクセステクノロジは、３ＧＰＰアクセステクノロジまたは非３ＧＰＰアクセステクノロジであり得る。いくつかの実施では、無線アクセステクノロジは、Ｇｌｏｂａｌ  Ｓｙｓｔｅｍ  ｆｏｒ  Ｍｏｂｉｌｅ  ｃｏｍｍｕｎｉｃａｔｉｏｎ（ＧＳＭＴＭ）、Ｉｎｔｅｒｉｍ  Ｓｔａｎｄａｒｄ  ９５（ＩＳ−９５）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、ＣＤＭＡ２０００（Ｃｏｄｅ  Ｄｉｖｉｓｉｏｎ  Ｍｕｌｔｉｐｌｅ  Ａｃｃｅｓｓ）、Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ＬＴＥ−Ａｄｖａｎｃｅｄ、または５Ｇアクセステクノロジであり得る。いくつかの例では、コアネットワークは、進化したパケットコア（ＥＰＣ）または５Ｇコアであり得る。コアネットワークは、ＡＭＦ、Ｓｅｓｓｉｏｎ  Ｍａｎａｇｅｍｅｎｔ  Ｆｕｎｃｔｉｏｎ（ＳＭＦ）、ＵＤＭ、Ａｕｔｈｅｎｔｉｃａｔｉｏｎ，  Ａｕｔｈｏｒｉｚａｔｉｏｎ，  ａｎｄ  Ａｃｃｏｕｎｔｉｎｇ（ＡＡＡ）サーバ、または他のネットワークノードもしくはエンティティを含み得る。
【００４５】
図２は、本開示のいくつかの実施による例示的なＳＯＲ手続きを図示するデータフロー図２００である。データフロー図２００は、ＵＩＣＣ２０２およびＭＥ２０４を有するＵＥ、第１のネットワークノード２０６、第２のネットワークノード２０８、第３のネットワークノード２１０を含む。第１のネットワークノード２０６は、第１のＶＰＬＭＮ（第２のネットワーク）のＡＭＦまたはＳＭＦノード、例えば、ＰＬＭＮａであり得る。第２のネットワークノード２０８は、第２のＶＰＬＭＮ（第３のネットワーク）のＡＭＦもしくはＳＭＦノード、例えばＰＬＭＮｂであり得る。第３ネットワークノード２１０は、ＨＰＬＭＮ（第１ネットワーク）のＵＤＭノードであり得る。
【００４６】
ステップ１では、ＭＥ２０４は、ＰＬＭＮａで登録／取り付け手続きを始めるために、第１のネットワークノード２０６にメッセージを送る。例えば、ＭＥ２０４は、第１のネットワークノード２０６にＲＥＧＩＳＴＲＡＴＩＯＮ  ＲＥＱＵＥＳＴメッセージを送る。いくつかの場合、ＭＥ２０４と第１のネットワークノード２０６との間のＮ１  ＮＡＳシグナリング接続が、ＲＥＧＩＳＴＲＡＴＩＯＮ  ＲＥＱＵＥＳＴメッセージを搬送し得る。ＵＥは、３ＧＰＰアクセステクノロジまたは非３ＧＰＰアクセステクノロジを用い得る。Ｎ１  ＮＡＳシグナリング接続は、３ＧＰＰアクセスまたは非３ＧＰＰアクセス上にあり得る。例えば、ＵＥは、３ＧＰＰアクセス上で５ＧＭＭ−ＣＯＮＮＥＣＴＥＤモードにあり得、３ＧＰＰ上のＮ１  ＮＡＳシグナリング接続は、ＵＥと第１のネットワークノード２０６との間に存在する。
【００４７】
ステップ１ａでは、第１のネットワークノード２０６が、ステップ１におけるメッセージ（例えば、ＲＥＧＩＳＴＲＡＴＩＯＮ  ＲＥＱＵＥＳＴ）をＨＰＬＭＮ内の第３のネットワークノード２１０に転送する。第１のネットワークノード２０６は、第２のネットワークノード２０８を通過することなく、第３のネットワークノード２１０にメッセージを転送し得る。いくつかの場合では、図３Ａ−図５で議論されるように、ステップ１およびステップ１ａのメッセージは、デバイスのタイプ（例えば、バッテリ制約型またはモビリティ制約型）および動作モード（例えば、手動ネットワーク選択モード）を示すインジケーションを含み得る。このインジケーションは、ＳＯＲデータをＵＥに送るかどうかを決定するために、ＨＰＬＭＮ内の第３のネットワークノード２１０を助け得る。例えば、ＵＥが、バッテリ制約型であるか、モビリティ制約型であるか、または手動ネットワーク選択モードにある場合、ＨＰＬＭＮ内のノード（例えば第３のネットワークノード）は、ＳＯＲデータをＵＥに送らなくともよい。
【００４８】
ステップ２では、第３のネットワークノード２１０は、第１のネットワークノード２０６にセキュリティ保護パケットを送る。セキュリティ保護パケットは、ＳＯＲデータを含み得る。ステップ３では、図６−図８Ｅで議論されるように、第１のネットワークノード２０６は、ステップ２で受信されたセキュリティ保護パケットをＭＥ２０４に送る。つまり、セキュリティ保護パケットは、登録／取り付け手続き中に受信される。いくつかの場合では、ステップ３において、セキュリティ保護パケットは、ＤＬ  ＮＡＳ  ＴＲＡＮＳＰＯＲＴメッセージ内で受信される。いくつかの他の実施では、ステップ３は、ＳＯＲデータまたはセキュリティ保護パケットを含むＲＥＧＩＳＴＲＡＴＩＯＮ  ＡＣＣＥＰＴメッセージまたはＡＴＴＡＣＨ  ＡＣＣＥＰＴメッセージであり得る。いくつかの場合では、ＥＡＰが、登録手続きにおける認証手続きのために用いられ（例えば、５Ｇネットワークは、認証のためにＥＡＰを用いる）、セキュリティ保護パケットがＥＡＰメッセージ内で受信され得る。いくつかの場合では、セキュリティ保護パケットは、ＳＭ内のパケットであり得、よって、「セキュリティ保護パケット」は、「セキュリティ保護パケットを含むＳＭ」と交換され得る。
【００４９】
ステップ４では、ＭＥ２０４は、ステップ３で受信されたメッセージ内のインジケーション（例えば、コードポイント）によって、内容がＵＩＣＣに関するものであることを決定し、ＭＥ２０４は、セキュリティ保護パケットをＵＩＣＣ２０２に送る。ＵＩＣＣ２０２は、セキュリティ保護パケットをデコードし、ＳＯＲデータを引き出す。いくつかの場合では、ステップ２−４中に、セキュリティ保護パケットが、ＨＰＬＭＮ内の第３のネットワークノード２１０によってエンコードされ、ＵＩＣＣ２０２によってデコードされる一方で、第１のネットワークノード２０６およびＭＥ２０４等の中間のエンティティは、セキュリティ保護パケットをデコードしない。ＳＯＲデータに基づいて、ＵＩＣＣ２０２は、ＰＬＭＮ探索をトリガするかどうかの決定をなし得る。
【００５０】
ステップ５では、ＭＥ２０４は、ＵＩＣＣ２０２からインジケーションを受信する。インジケーションは、進行中の登録／取り付け手続きを終了させてＰＬＭＮ探索をトリガすることをＭＥ２０４に示し得る。いくつかの場合では、ＵＩＣＣ２０２からのインジケーションは、ＵＳＡＴコマンドを介して受信され得る。ＵＳＡＴコマンドは、ＲＥＦＲＥＳＨコマンドであり得る。ＲＥＦＲＥＳＨコマンドは、ＳＯＲ手続きが開始されるべきであることのインジケーションを含み得る。いくつかの場合では、図９で議論されるように、ステップ５におけるＲＥＦＲＥＳＨコマンドは、ＭＥ２０４がリストに基づいてＰＬＭＮ探索を遂行し得るように、好ましいＰＬＭＮのリストを随意に含み得る。いくつかの場合では、ＲＥＦＲＥＳＨコマンドは、好ましいＰＬＭＮのリストを含まず、ＲＥＦＲＥＳＨコマンドは、好ましいＰＬＭＮのリストを含むＵＩＣＣ２０２から環境ファイルをダウンロードするようにＭＥ２０４をトリガする。ＭＥ２０４はそれから、ダウンロードされたリストに基づいて、ＰＬＭＮ探索を遂行する。
【００５１】
ステップ６では、ステップ５におけるインジケーションに基づいて、ＭＥ２０４は、ＰＬＭＮａとの登録／取り付け手続きを終了させ得る。いくつかの場合では、登録／取り付け手続きを終了させるために、ＭＥ２０４は、ＭＥ２０４と第１のネットワークノード２０６との間のＮ１  ＮＡＳシグナリング接続を解放し得る。いくつかの場合では、登録／取り付け手続きの終了は、ＭＥ２０４が、認証失敗メッセージまたはＲＥＧＩＳＴＲＡＴＩＯＮ  ＣＯＭＰＬＥＴＥメッセージを第１のネットワークノード２０６に送ることを含む。認証失敗メッセージまたはＲＥＧＩＳＴＲＡＴＩＯＮ  ＣＯＭＰＬＥＴＥメッセージは、インジケータを含み得、セキュリティ保護パケットの失敗した受信（例えば、以下で議論されるように、セキュリティ保護パケットがインテグリティチェックに失敗したこと）か、セキュリティ保護パケットの成功した受信か、またはＭＥが随意の権限を理由としてＰＬＭＮ探索を遂行しないことかのいずれかを示し得る。失敗を示すインジケータは、ネットワーク（例えばＰＬＭＮａ）が、登録手続きに関連するメッセージを再伝達することを防ぎ得る。失敗を示すインジケーションは、さらに、実際の理由を示すための権限を与えられ得、その例は、ＰＬＭＮ探索、ＰＬＭＮが一時的に承認されないこと等であるが、これらに限定されない。インジケータが成功した受信を示すとき、インジケータは、セキュリティ保護パケットがうまく受信されたことをネットワークに識別し、ＭＥは、ＰＬＭＮ探索を遂行する。インジケータが、ＭＥがＰＬＭＮ探索を遂行しないことを示すとき、インジケータは、理由を示す権限を与えられ得る。理由は、ＭＥが手動ネットワーク選択モードにあること、ＶＰＬＭＮ（ＲＰＬＭＮ）が、ユーザ制御ＰＬＭＮリスト上にあること、他に利用可能なＰＬＭＮが存在しないこと、ＰＬＭＮが一時的に承認されないこと等である。
【００５２】
ステップ７では、ＭＥ２０４は、取り付けるかまたは登録するための代替となるネットワーク（例えば、ＰＬＭＮｂ）を見つけるために、ＰＬＭＮ探索を始め得る。ステップ８において、ＭＥ２０４は、ＰＬＭＮｂとの登録／取り付け手続きを始める。
【００５３】
いくつかの場合では、ＭＥ２０４がステップ５でＵＳＡＴコマンドを受信した後において、ＭＥが、バッテリ制約型、リソース制約型、モビリティ制約型のうちの少なくとも１つであるがこれらに限定されないデバイスタイプであるか、または、ネットワークがユーザ制御ＰＬＭＮリスト上にあった（つまり、そのネットワークはユーザに好まれるＰＬＭＮである）ため、ＭＥがそのネットワーク（ＲＰＬＭＮ）を選択した場合には、ＭＥ２０４は、定期的なＰＬＭＮ探索タイマーＴが時間切れになるときか、または、ＭＥ２０４が他の理由によりＰＬＭＮ探索を遂行するときのいずれかまで、ＰＬＭＮを遂行しない。いくつかの場合では、ＭＥ２０４がステップ５でＵＳＡＴコマンドを受信するときに、ＵＥが手動ネットワーク選択モードにあるか、または、ネットワークがユーザ制御ＰＬＭＮリスト上にあるためＭＥがそのネットワーク（ＲＰＬＭＮ）を選択した場合には、ＵＥはＰＬＭＮ探索を遂行することを控える。ユーザ制御ＰＬＭＮリストはまた、「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙリストと呼ばれる。いくつかの場合では、ＭＥ２０４は、ＭＥ２０４が手動ネットワーク選択モードにあることか、または、ネットワークがユーザ制御ＰＬＭＮリスト上にあり、それによってＨＰＬＭＮのノード（第３のネットワークノード）がＳＯＲデータを送らなかったため、ＭＥがそのネットワーク（ＲＰＬＭＮ）を選択したことを、ネットワーク（例えば、ＨＰＬＭＮのノード（例えば、第３のネットワークか、または第３のネットワークのノード））に知らせ得る。
【００５４】
いくつかの場合では、ステップ５でＵＩＣＣ２０２から受信されたインジケーションは、セキュリティ保護パケットがＵＩＣＣにおけるインテグリティチェックに失敗したことを示す。セキュリティ保護パケットがインテグリティチェックに失敗したことのインジケーションによって、ＭＥ２０４は、ＭＥ２０４内に記憶された「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」リストから、ＵＥが登録しようとしているＰＬＭＮ（例えば、ＰＬＭＮａ）を取り除き、随意に、禁止されたＰＬＭＮリスト（例えば、ＥＦＦＰＬＭＮ（禁止されたＰＬＭＮ））内のＰＬＭＮａを含み得る。いくつかの場合では、ＰＬＭＮａとの現在の登録／取り付け手続きが、緊急サービスのためである場合、もはや緊急サービスのニーズが存在しなくなった後に、ＵＥはＰＬＭＮ探索を始める。いくつかの実施では、ステップ６において、ＭＥは、セキュリティ保護パケットがインテグリティチェック／セキュリティチェックに失敗したことか、ＶＰＬＭＮがユーザ制御ＰＬＭＮリスト上にあることか、またはＭＥが手動ネットワーク選択モードにあることを示すインジケーションを含むＲＥＧＩＳＴＲＡＴＥＲ  ＣＯＭＰＬＥＴＥメッセージまたはＡＴＴＡＣＨ  ＣＯＭＰＬＥＴＥメッセージ等のメッセージをネットワークに送り得る。メッセージを送ることは、応答するように構成されているＭＥに依存し得る（例えば、ＭＥは、ステップ３におけるＲＥＧＩＳＴＲＡＴＩＯＮ  ＡＣＣＥＰＴ／ＡＴＴＡＣＨ  ＡＣＣＥＰＴメッセージに応答するように構成される）。この構成は、ＭＥ内のＯｐｅｎ  Ｍｏｂｉｌｅ  Ａｌｌｉａｎｃｅ（ＯＭＡ）デバイス管理（ＤＭ）ファイル内に記憶されるか、ＵＩＣＣから読み込まれてそれからＭＥ内に記憶され得るか、または、ステップ３におけるＲＥＧＩＳＴＲＡＴＩＯＮ  ＡＣＣＥＰＴ／ＡＴＴＡＣＨ  ＡＣＣＥＰＴメッセージ内で受信されているかであり得る。いくつかの場合では、ＭＥは、ステップ３におけるＲＥＧＩＳＴＲＡＴＩＯＮ  ＡＣＣＥＰＴ／ＡＴＴＡＣＨ  ＡＣＣＥＰＴメッセージ内のＳＯＲデータを、例えば、ステップ３におけるＲＥＧＩＳＴＲＡＴＩＯＮ  ＡＣＣＥＰＴ／ＡＴＴＡＣＨ  ＡＣＣＥＰＴメッセージ内のインジケーションとしてか、またはステップ３におけるＲＥＧＩＳＴＲＡＴＩＯＮ  ＡＣＣＥＰＴ／ＡＴＴＡＣＨ  ＡＣＣＥＰＴメッセージ内にあったＳＯＲデータまたはセキュリティ保護パケット内のインジケーションとして、受信することを期待するように構成される。この構成は、ＭＥ内のＯＭＡ  ＤＭファイル内に記憶され得るか、または、ＵＩＣＣから読み込まれてそれからＭＥ内に記憶され得る。
【００５５】
いくつかの場合では、ＵＥが手動ネットワーク選択モードにある場合に、以下の手続きが遂行され得る。
１．ＭＥは、ＶＰＬＭＮとの登録／取り付け手続きを始める。
２．ＭＥは、例えばＨＰＬＭＮ内のＵＤＭからＳＯＲデータを含む第１のセキュリティ保護パケットを受信する。
３．ＵＥが手動ネットワーク選択モードにあることを、ＵＥが決定する。
４．ＭＥは、ＵＥが手動ネットワーク選択モードにあることのインジケーションと共にＵＩＣＣへ第１のセキュリティ保護パケットを送る。
５．ＭＥは、ＵＩＣＣから第２のセキュリティ保護パケットを受信し、第２のセキュリティ保護パケットは、ＭＥが手動ネットワーク選択モードにあることのインジケーションを含む。
６．ＭＥは、第２のセキュリティ保護パケット（例えばＨＰＬＭＮ）をネットワークに随意に送り、ＨＰＬＭＮがＳＯＲデータを送らないように、ＭＥが手動ネットワーク選択モードにあることのインジケーションを随意に含み得る。いくつかの場合では、ＭＥは、ＶＰＬＭＮとの現在の登録／取り付け手続きを継続し得る。
【００５６】
いくつかの場合では、ＵＥが手動ネットワーク選択モードにあるか、またはユーザ制御ＰＬＭＮリスト上にあったＰＬＭＮをＵＥが選択した場合、以下の手続きが遂行され得る。
１．ＭＥは、ＶＰＬＭＮとの登録／取り付け手続きを始める。
２．ＭＥは、例えばＨＰＬＭＮ内のＵＤＭから、ＳＯＲデータを含むセキュリティ保護パケットを受信する。例えば、セキュリティ保護パケットは、図６−図８Ｅに示されるように、ＥＡＰを用いて受信され得る。
３．ＭＥは、セキュリティ保護パケットをＵＩＣＣに送る。
４．ＭＥは、ＰＬＭＮ探索を遂行するために、ＵＩＣＣからインジケーションを受信する。例えば、ＵＩＣＣからのＵＳＡＴ  ＲＥＦＲＥＳＨコマンドは、ＰＬＭＮ探索を遂行するためのインジケータを含み得る。
５．ＭＥが手動ネットワーク選択モードにあるか、またはＵＥがユーザ制御ＰＬＭＮリスト上にあったＰＬＭＮを選択したため、ＭＥは、ＰＬＭＮ探索を遂行しないことを決定し、現在のＶＰＬＭＮとの登録／取り付け手続きを継続する。例えば、ＭＥは、ＥＡＰ応答メッセージをネットワークに送り得、そのネットワークにおいて、ＥＡＰメッセージ、例えばＥＡＰ−Ｒｅｓｐｏｎｓｅは、ＭＥがなぜＰＬＭＮ探索を継続しているのか、例えば、手動ネットワーク選択モードにあることか、またはＵＥがユーザ制御ＰＬＭＮリストを用いたこと等のインジケーションを含み得る。
【００５７】
この開示においては、ＵＥが手動ネットワーク選択モードにある場合について説明される手法は、ＭＥが「Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙリスト内のネットワーク（ＰＬＭＮ）を選択した場合にも適用可能である。
【００５８】
上記で議論されたように、図２のステップ１において、ＭＥは、デバイスタイプ（例えば、バッテリ制約型デバイス、モビリティ制約型デバイス、および手動ネットワーク選択モードにあること）を示し得る。図４Ａ−図５は、デバイスタイプを示すための２つの方法を説明する。図３Ａ−図３Ｂは、３ＧＰＰ  ＴＳ  ２３．５０２からの例示的な登録手続きのデータフロー図３００を図示する。図４Ａ−図４Ｃは、ＲＥＧＩＳＴＲＡＴＩＯＮ  ＲＥＱＵＥＳＴメッセージ内にデバイスタイプインジケータを含むこと（例えば、図３Ａのステップ１）を図示する一方で、図５は、ＥＡＰメッセージ内にデバイスタイプインジケータを含むこと（すなわち、図３Ａのステップ９）を図示する。
【００５９】
図４Ａ−図４Ｃは、本開示のいくつかの実施による、ＲＥＧＩＳＴＲＡＴＩＯＮ  ＲＥＱＵＥＳＴメッセージ内にデバイスタイプインジケータを含むことについての例示的な説明を図示する。例えば、３ＧＰＰ  ＴＳ  ２４．５０１内に説明された登録開始手続きは、図４Ａ−図４Ｃに示される下線が引かれた文章を含むように修正され得る。図４Ｂ内の表８．２．５．１．１および図４Ｃ内の表９．８．２．２．１は、ＵＥが、バッテリもしくはリソース制約型デバイス、モビリティ制約型デバイス、および／または、手動ネットワーク選択モードにあるかどうかを示すために、ＲＥＧＩＳＴＲＡＴＩＯＮ  ＲＥＱＵＥＳＴメッセージは、新たな情報要素「デバイスタイプ」を含み得ることを図示する。いくつかの実施では、ＭＥがデバイスタイプを含むモビリティ管理メッセージを送り得るように、デバイスが電源に接続される場合に、バッテリ制約型インジケータの設定が変化し得る。当業者は、この開示において、メッセージ名、コードポイント名等が、図示的目的のために用いられており、他のメッセージ名およびコードポイント名が用いられ得ることを認識するであろう。例えば、インジケータは、新たな情報要素を用いるか、または既存の情報要素を拡張して送られ得る。この開示においては、「ｓｈａｌｌ」の発生は、「ｍａｙ」または「ｓｈｏｕｌｄ」であり得る。
【００６０】
図５は、本開示のいくつかの実施による、ＥＡＰメッセージ内にデバイスタイプインジケータを含むことについての例示的な説明を図示する。例えば、３ＧＰＰ  ＴＳ  ２４．３０２は、図５に示される下線が引かれた文章を含むように修正され得る。図５における表８．２．Ｘ．１−１は、ＥＡＰ−Ｒｅｓｐｏｎｓｅ／ＡＫＡ’−Ｃｈａｌｌｅｎｇｅメッセージが、デバイスタイプインジケータを含むＡＴ＿ＳＯＲＩｎｆｏ＿ＲＥＱＵＥＳＴ属性を含み得ることを示す。
【００６１】
上記で議論されたように、図２のステップ２−３において、ＨＰＬＭＮ（例えば、ＵＤＭ）は、ＳＯＲデータを含むセキュリティ保護パケットをＵＥに送り得る。図６−図８Ｅは、ＳＯＲデータを送るための方法を説明する。
【００６２】
図６は、本開示のいくつかの実施による、ＳＯＲデータを送るためにＥＡＰシグナリングを用いる例示的な手続きを図示するデータフロー図６００である。データフロー図６００は、ＵＥ６０２、ＶＰＬＭＮ内のＡＡＡサーバ６０４、およびＨＰＬＭＮ内のデータベースもしくはＵＤＭ６０６を含む。ＡＡＡサーバ６０４はまた、ＡＭＦおよび／またはＵＤＭと取り替えられ得る。ステップ４において、ＶＰＬＭＮ内のＡＡＡサーバ６０４は、認証チャレンジをＵＥ６０２に送る。認証チャレンジは、ＡＡＡサーバ６０４がＳＯＲデータを要求するＵＥ６０２をサポートすることを示す（図８Ｃのセクション８．２．Ｘ．１に説明される）ＡＴ＿ＳＯＲＩｎｆｏ＿ＲＥＱＵＥＳＴ＿ＳＵＰＰＯＲＴＥＤ属性を含み得る。ステップ５において、ＡＡＡサーバ６０４がＳＯＲデータを要求するＵＥ６０２をサポートすることのインジケータを受信することに応答して、ＵＥ６０２は、認証応答をＡＡＡサーバ６０４に送り、随意に、ＵＥがバッテリ制約型であるかまたは手動ネットワーク選択モードで動作する場合には、認証応答は、ＵＥ６０２がＳＯＲデータを要求することを示す（図８Ｅのセクション８．２．Ｘ．２に説明される）ＡＴ＿ＳＯＲＩｎｆｏ＿ＲＥＱＵＥＳＴ属性を含む。ステップ６において、ＡＡＡサーバ６０４は、認証応答をＨＰＬＭＮ内のデータベース６０６へ転送する。ステップ６における認証応答はまた、ＵＥ６０２がＳＯＲデータを要求することを示すＡＴ＿ＳＯＲＩｎｆｏ＿ＲＥＱＵＥＳＴ属性を含む。ＵＤＭ／ＨＳＳ／ＨＬＲは、ＵＥの動作モードおよびＵＥがバッテリ制約型であるかどうかを考慮に入れる。ステップ７において、ＵＥ６０２がＳＯＲデータを要求することを示すインジケータを受信することに応答して、ＨＰＬＭＮ内のデータベース６０６は、認証受信通知をＡＡＡサーバ６０４に送り、認証受信通知は、ＳＯＲデータを含む（図８Ｄ−図８Ｅのセクション８．２．Ｘ．３に説明される）ＡＴ＿ＳＯＲＩｎｆｏ＿ＲＥＳＰ属性を含む。ステップ８において、ＡＡＡサーバ６０４は、認証受信通知をＵＥ６０２へ転送する。ステップ８における認証受信通知はまた、ＳＯＲデータを含むＡＴ＿ＳＯＲＩｎｆｏ＿ＲＥＳＰ属性を含む。
【００６３】
図７は、本開示のいくつかの実施による、５Ｇネットワーク内のＳＯＲデータを取得するためにＥＡＰシグナリングを用いる例示的なプロセスを図示するデータフロー図７００である。例示的なプロセスはまた、他のＥＡＰフレームワーク方法、例えば無線ローカルエリアネットワーク（ＷＬＡＮ）にアクセスするために用いられるＥＡＰ方法にも適用可能であり、機能の名は異なっていることがある。データフロー図７００は、ＵＥ７０２と、ＶＰＬＭＮ内のＳｅｃｕｒｉｔｙ  Ａｎｃｈｏｒ  Ｆｕｎｃｔｉｏｎａｌｉｔｙ（ＳＥＡＦ）もしくはＡＭＦノード７０４と、ＨＰＬＭＮ内のＡｕｔｈｅｎｔｉｃａｔｉｏｎ  Ｓｅｒｖｅｒ  Ｆｕｎｃｔｉｏｎ（ＡＵＳＦ）ノード７０６と、ＨＰＬＭＮ内のＵＤＭ／Ａｕｔｈｅｎｔｉｃａｔｉｏｎ  ｃｒｅｄｅｎｔｉａｌ  Ｒｅｐｏｓｉｔｏｒｙ  ａｎｄ  Ｐｒｏｃｅｓｓｉｎｇ  Ｆｕｎｃｔｉｏｎ（ＡＲＰＦ）ノード７０８とを含む。図６と同様に、図７のステップ４において、ＥＡＰ−Ｒｅｑｕｅｓｔ／ＡＫＡ’−Ｃｈａｌｌｅｎｇｅは、ＳＥＡＦ／ＡＭＦ７０４がＳＯＲデータを要求するＵＥ７０２をサポートすることを示すＡＴ＿ＳＯＲＩｎｆｏ＿ＲＥＱＵＥＳＴ＿ＳＵＰＰＯＲＴＥＤ属性を含み得る。図７のステップ５および６において、ＥＡＰ−Ｒｅｓｐｏｎｓｅ／ＡＫＡ’−Ｃｈａｌｌｅｎｇｅは、ＵＥ７０２がＳＯＲデータを要求することを示すＡＴ＿ＳＯＲＩｎｆｏ＿ＲＥＱＵＥＳＴ属性を含み得る。図７のステップ７および８におけるメッセージは、ＳＯＲデータを含むＡＴ＿ＳＯＲＩｎｆｏ＿ＲＥＳＰ属性を含み得る。いくつかの場合では、ＳＯＲがステップ２および／または３においてサポートされることのインジケーションを送ることの決定は、ＵＥが登録することを要求したネットワークおよび／または場所に基づく。いくつかの場合では、ステップ７において送られるデータは、ステップ３において送られ得る。
【００６４】
図８Ａ−図８Ｅは、本開示のいくつかの実施による、ＥＡＰ−ＡＫＡ’内のＳＯＲデータを送ることの例示的な説明を図示する。例えば、３ＧＰＰ  ＴＳ  ２４．３０２は、図８Ａ−図８Ｅに示される下線で引かれた文章を含むように修正され得る。
【００６５】
いくつかの場合では、図２のステップ５において、ＭＥは、ＵＩＣＣからＵＳＡＴ  ＲＥＦＲＥＳＨコマンドを受信し得る。ＲＥＦＲＥＳＨコマンドは、５ＧアクセステクノロジのためのＰＬＭＮのリスト（例えば、５Ｇコアネットワークに接続されるＮＧまたはＥ−ＵＴＲＡＮ）か、または、１つのＶＰＬＭＮから別のＶＰＬＭＮへの５Ｇ  ＳＯＲ手続きもしくはＵＥの誘導を遂行することを決定するために用いられる無線アクセステクノロジ（ＲＡＴ）を含むアクセステクノロジセレクタを含むアクセステクノロジを用いたＰＬＭＮ（ＰＬＭＮｗＡｃｔ）リストを随意に含み得る。
【００６６】
図９は、本開示のいくつかの実施による、ＲＥＦＲＥＳＨコマンドの例示的な説明を図示する。例えば、３ＧＰＰ  ＴＳ  ３１．１１１は、ＲＥＦＲＥＳＨコマンドが２つの新たなパラメータ「（５Ｇ）ＰＬＭＮリスト」および「（５Ｇ）ＰＬＭＮｗＡｃＴリスト」を含むように、図９に示される下線が引かれた文章を含むように修正され得る。いくつかの場合では、ＰＬＭＮリストおよびＰＬＭＮｗＡｃＴリストは、優先的な順序で好ましいＰＬＭＮを定義し得る。ＭＥは、ＲＥＦＲＥＳＨコマンドからＰＬＭＮリストまたはＰＬＭＮｗＡｃＴリストを取得し、リストに基づいてＰＬＭＮ探索を遂行し得る（例えば、より高い優先度のＰＬＭＮから始める）。
【００６７】
図１０は、本開示のいくつかの実施による、データ「Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ」のための環境ファイル（ＥＦ）の例示的な説明を図示する。例えば、３ＧＰＰ  ＴＳ  ３１．１０２は、３つの異なる実施形態、すなわち、新たな無線（ＮＲ）アクセスによってサポートされた５Ｇシステム（５ＧＳ）、Ｅ−ＵＴＲＡによってサポートされた５Ｇシステム（５ＧＳ）、またはＥＰＳ（Ｅ−ＵＴＲＡによってサポートされたＥＰＣ）を示すために、図１０に示されるように修正され得る。いくつかの場合では、ＥＦファイルＥＦＯＰＬＭＮｗＡＣＴは、ＵＩＣＣ上にあり、優先的な順序で好ましいＰＬＭＮを含む。ＲＥＦＲＥＳＨコマンドは、ＭＥが、好ましいＰＬＭＮに基づいてＰＬＭＮ探索を遂行し得る（例えば、最も高い優先度のＰＬＭＮから始める）ように、ＭＥがＭＥのメモリへＥＦＯＰＬＭＮｗＡＣＴをダウンロードするようにトリガし得る。
【００６８】
いくつかの場合では、５Ｇ  ＳＯＲ手続きまたは１つのＶＰＬＭＮから別のＶＰＬＭＮへのＵＥの誘導は、ＲＥＧＩＳＴＲＡＴＩＯＮ  ＣＯＭＰＬＥＴＥメッセージか、認証失敗メッセージか、またはＮ１  ＮＡＳシグナリング接続を解放することのうちの少なくとも１つによって、進行中の登録手続きを終了させることを伴い得る。
【００６９】
いくつかの場合では、ＵＥ（またはＭＥ、ＵＥおよびＭＥは、この開示において交換可能である）が進行中の登録手続きを終了させるときに、ＵＥがあたかもスイッチを入れられたか、またはＵＥがカバレッジの欠如から回復されたかのように、ＵＥは、動作を継続し、ＵＥは、利用可能である最も高い優先度のＰＬＭＮを選択する。代替として、ＵＥが進行中の登録手続きを終了させるとき、ＵＥは、ＵＥが以前の最も高い優先度のＰＬＭＮを以前に発見した全てのアクセステクノロジを用いて、（利用可能である場合）最も高い優先度のＰＬＭＮかまたは同等に最も高い優先度のＰＬＭＮを選択する。以前に最も高い優先度であったＰＬＭＮよりも高い優先度のＰＬＭＮを発見することに失敗したときは、ＵＥは、可能である全てのアクセステクノロジを用い、必要に応じてより高い優先度のＰＬＭＮを発見する。
【００７０】
代替として、ＵＥがバッテリ制約型であるか、または、ＵＥが手動ネットワーク選択モードで動作しているかもしくはＵＥがユーザ制御ＰＬＭＮリストからＰＬＭＮを選択したため、ネットワークが選択されたかのいずれかの場合には、例えば、定期的な探索タイマーＴが時間切れになったためＭＥがＰＬＭＮ探索を遂行するときに、ＭＥは、ＲＥＦＲＥＳＨコマンドを無視し得るが、ＭＥのメモリ内へ読み込まれた更新済のＰｒｅｆｅｒｒｅｄ  Ｏｐｅｒａｔｏｒ  ＰＬＭＮリストを用い得る。ＭＥは、あたかもＭＥがスイッチを入れられたか、またはＭＥがＰＬＭＮカバレッジを失ったかのように、動作を継続する。
【００７１】
図１１は、本開示のいくつかの実施による、例示的なＳＯＲ手続きを図示するデータフロー図１１００である。データフロー図１１００は、本開示において説明される手法に基づいて、図１における手続きを修正する。図１２Ａ−図１２Ｂは、本開示のいくつかの実施による、図１１のＳＯＲ手続きのための例示的な説明を図示する。図１２Ａ−図１２Ｂは、３ＧＰＰ  ＣＴ１  ｃｏｎｔｒｉｂｕｔｉｏｎ  Ｃ１−１８０４６２への変更を示す。
【００７２】
図１５Ａ−図１５Ｆは、本開示のいくつかの実施による、登録中および登録後のＶＰＬＭＮにおけるＵＥの誘導についての例示的な説明を図示する。図１５Ａ−図１５Ｆにおける例示的な説明は、３ＧＰＰ  ＴＳ  ２３．１２２に含まれ得る。図１５Ａ−図１５Ｂの図Ｃ．１．１におけるメッセージ６（すなわち、ＲＥＧＩＳＴＲＡＴＩＯＮ  ＡＣＣＥＰＴ）は、図２のステップ３にあり得る。図１５Ａ−図１５Ｂの図Ｃ．１．１におけるメッセージ１０（すなわち、ＲＥＧＩＳＴＲＡＴＩＯＮ  ＣＯＭＰＬＥＴＥ）は、図２のステップ６にあり得る。
【００７３】
いくつかの場合では、ＳＯＲデータ（例えば、好ましいＰＬＭＮ／アクセステクノロジの組み合わせの保護されたＨＰＬＭＮリストを含むセキュリティ保護パケット）が、うまく受信される場合（例えば、成功したセキュリティチェック）、および、ＭＥが現在登録しようとしているＶＰＬＭＮが、ユーザの好ましいＰＬＭＮではなく、かつＭＥが手動選択モードにない場合、ＭＥは、現在の登録手続きを終了させ、かつ、例えばＲＥＧＩＳＴＲＡＴＩＯＮ／ＡＴＴＡＣＨ手続き（ステップ１０）の完了後か、またはステップ７−９のいずれかの前に、ＳＯＲデータに基づいてＰＬＭＮ探索を遂行し得る。いくつかの場合では、ＳＯＲデータがうまく受信される場合、および、ＭＥが現在登録しようとしているＶＰＬＭＮがユーザの好ましいＰＬＭＮであるか、またはＭＥが手動選択モードにある場合、ＭＥは、現在の登録手続きを継続し得、ＰＬＭＮ探索を遂行しない。いくつかの場合では、ＳＯＲデータがうまく受信されない（例えば、セキュリティチェックに失敗するか、または、ＭＥがＳＯＲデータを受信するように構成されるが受信しない）場合、および、ＭＥが現在登録しようとしているＶＰＬＭＮがユーザの好ましいＰＬＭＮではなく、かつＭＥが手動選択モードにない場合、ＭＥは、現在の登録手続きを終了させてＰＬＭＮ探索を遂行し得る。いくつかの場合では、ＳＯＲデータがうまく受信されない場合、および、ＭＥが現在登録しようとしているＶＰＬＭＮがユーザの好ましいＰＬＭＮでないか、またはＭＥが手動選択モードにある場合、ＭＥは、現在の登録手続きを継続し得、ＰＬＭＮ探索を遂行しない。
【００７４】
図１５Ａ−図１５Ｂにおける図Ｃ．１．１のメッセージ１０（すなわち、ＲＥＧＩＳＴＲＡＴＩＯＮ  ＣＯＭＰＬＥＴＥ）では、ＭＥは、構成される場合、ＳＯＲデータが受信されないことか、ＳＯＲデータがセキュリティチェックに失敗したことか、ＭＥが現在登録しようとしているＶＰＬＭＮがユーザの好ましいＰＬＭＮであることか、または、ＭＥが手動選択モードにあることを示す１または複数のインジケーションを送り得る。図１５Ｃ−図１５Ｅ中のテキストに示されるように、メッセージ１０と関連付けられる動作のための２つの選択肢が存在し得る。第２の選択肢では、ＳＯＲデータがうまく受信されない場合（例えば、成功しないかまたは失敗したセキュリティチェック）、動作１０ａが遂行され得、ＳＯＲデータがうまく受信される場合（成功したセキュリティチェック）、動作１０ｂが遂行され得る。
【００７５】
図１３は、本開示のいくつかの実施による例示的なネットワークノード１３００を概略的に図示している。例えば、ネットワークノード２０６、２０８、２１０、６０４、６０６、７０４、７０６、および７０８は、ネットワークノード１３００によって実施され得る。図示されたデバイス１３００は、処理モジュール１３０２と、有線通信サブシステム１３０４と、無線通信サブシステム１３０６とを含む。無線通信サブシステム１３０６は、ＵＥからデータトラフィックおよび制御トラフィックを受信し得る。いくつかの実施では、無線通信サブシステム１３０６は、受信器および送信器を含み得る。有線通信サブシステム１３０４は、バックホール接続を介して他のアクセスノードデバイス間で制御情報を送信および受信するように構成され得る。処理モジュール１３０２は、本明細書で開示される実施のうちの１または複数と関連して上記で説明されたプロセス、ステップ、またはアクションのうちの１または複数と関連する命令を実行することが可能な１または複数の処理コンポーネント（代替として、「プロセッサ」かまたは「中央処理装置」（ＣＰＵ）と称される）を含み得る。処理モジュール１３０２はまた、ランダムアクセスメモリ（ＲＡＭ）、読み出し専用メモリ（ＲＯＭ）、二次的ストレージ（例えば、ハードディスクドライブ、フラッシュメモリまたは他の非一過性ストレージ媒体）等の他の予備コンポーネントを含み得る。処理モジュール１３０２は、有線通信サブシステム１３０４か、または無線通信サブシステム１３０６を用いて、無線通信または有線通信を提供するために、特定の命令およびコマンドを実行し得る。種々の他のコンポーネントもまた、デバイス１３００内に含まれ得る。
【００７６】
図１４は、本開示のいくつかの実施による例示的なＵＥ１４００装置を概略的に図示している。例示的なＵＥ１４００は、処理ユニット１４０２と、コンピュータ可読ストレージ媒体１４０４（例えば、ＲＯＭまたはフラッシュメモリ）と、無線通信サブシステム１４０６と、インタフェース１４０８と、Ｉ／Ｏインタフェース１４１０とを含む。処理ユニット１４０２は、本明細書中で開示される実施のうちの１または複数に関連して上記で説明されたプロセス、ステップ、またはアクションのうちの１または複数に関連する命令を実行するように構成される１または複数の処理コンポーネント（代替として、「プロセッサ」または「中央処理装置」（ＣＰＵ）と称される）を含み得る。処理ユニット１４０２はまた、ランダムアクセスメモリ（ＲＡＭ）および読み出し専用メモリ（ＲＯＭ）等の他の予備コンポーネントを含み得る。コンピュータ可読ストレージ媒体１４０４は、デバイス１４００のオペレーティングシステム（ＯＳ）を記憶するように構成される非一過性媒体、および上記で説明されたプロセス、ステップ、またはアクションのうちの１または複数を遂行するための種々の他のコンピュータ実行可能ソフトウェアプログラムによって具現化され得る。
【００７７】
無線通信サブシステム１４０６は、処理ユニット１４０２によって提供されるデータ情報または制御情報のための無線通信を提供するように構成され得る。無線通信サブシステム１４０６は、例えば、１または複数のアンテナ、受信器、送信器、ローカル発振器、ミキサ、およびデジタル信号処理（ＤＳＰ）ユニットを含み得る。いくつかの実施では、サブシステム１４０６は、マルチ入力マルチ出力（ＭＩＭＯ）送信をサポートし得る。いくつかの実施では、無線通信サブシステム１４０６内の受信器は、アドバンス受信器またはベースライン受信器であり得る。２つの受信器は、同一か、類似か、または異なる受信器処理アルゴリズムで実施され得る。
【００７８】
ユーザインタフェース１４０８は、例えば、スクリーンもしくはタッチスクリーン（例えば、液晶ディスプレイ（ＬＣＤ）、発光ディスプレイ（ＬＥＤ）、有機発光ディスプレイ（ＯＬＥＤ）、微小電気機械システム（ＭＥＭＳ）ディスプレイ）、キーボードもしくはキーパッド、トラックボール、スピーカ、およびマイクロフォンのうちの１または複数を含み得る。Ｉ／Ｏインタフェース１４１０は、例えば、ユニバーサルシリアルバス（ＵＳＢ）インタフェースを含み得る。当業者は、種々の他のコンポーネントも、例示的なＵＥデバイス１４００に含まれ得ることを容易に認識するであろう。
【００７９】
動作は特定の順序で図面に描写される一方で、これは、所望の結果を達成するために、そのような動作が、示される特定の順序、換言すれば連続する順序で遂行されること、または、全ての図示された動作が遂行されることを要求されると理解されるべきではない。特定の状況では、マルチタスク動作および並行処理が採用され得る。そのうえ、上記で説明された実施における種々のシステムコンポーネントの分離は、全ての実施においてそのような分離を要求されると理解されるべきではなく、説明されたプログラムコンポーネントおよびシステムは、一般的に、信号ソフトウェア製品に共に統合されるか、または複数のソフトウェア製品内にパッケージングされ得る。
【００８０】
また、種々の実施において別個または分離していると説明され図示される技術、システム、サブシステム、および方法は、他のシステム、モジュール、技術、または方法と組み合わされるか、または統合され得る。相互に結合されるかもしくは直接結合されるか、または通信するとして示されまたは議論された他のアイテムは、電気的か、機械的か、または別様に、いくつかのインタフェース、デバイス、または中間コンポーネントを通して、間接的に結合されるか、または通信し得る。変化物、代用物、および代替物の他の例は、当業者によって突きとめられて作製され得る。
【００８１】
上記の詳細な説明が、種々の実施に適用されるとして本開示の基本的で顕著な特徴を示し、説明し、指摘した一方で、図示されるシステムの形態および詳細において、種々の省略、代用、および変化が当業者によってなされ得ることが理解されるであろう。加えて、方法ステップの順序は、請求項においてみられる順序によって暗示されない。
【図１】
2021514166.tif 000003
【図２】
2021514166.tif 000004
【図３Ａ】
2021514166.tif 000005
【図３Ｂ】
2021514166.tif 000006
【図４Ａ】
2021514166.tif 000007
【図４Ｂ】
2021514166.tif 000008
【図４Ｃ】
2021514166.tif 000009
【図５】
2021514166.tif 000010
【図６】
2021514166.tif 000011
【図７】
2021514166.tif 000012
【図８Ａ】
2021514166.tif 000013
【図８Ｂ】
2021514166.tif 000014
【図８Ｃ】
2021514166.tif 000015
【図８Ｄ】
2021514166.tif 000016
【図８Ｅ】
2021514166.tif 000017
【図９】
2021514166.tif 000018
【図１０】
2021514166.tif 000019
【図１１】
2021514166.tif 000020
【図１２Ａ】
2021514166.tif 000021
【図１２Ｂ】
2021514166.tif 000022
【図１３】
2021514166.tif 000023
【図１４】
2021514166.tif 000024
【図１５Ａ】
2021514166.tif 000025
【図１５Ｂ】
2021514166.tif 000026
【図１５Ｃ】
2021514166.tif 000027
【図１５Ｄ】
2021514166.tif 000028
【図１５Ｅ】
2021514166.tif 000029
【図１５Ｆ】
2021514166.tif 000030
【国際調査報告】
2021514166.tif 000031
2021514166.tif 000032
2021514166.tif 000033